(57)【要約】      （修正有）【課題】架台に対する設置作業及び撤去作業を安全に効率良くできるようにする【解決手段】第１筐体１２−１はホース収納空間及びバルブ類収納空間を有し、第２筐体１２−２は消火器収納空間を有する。架台１１は中心Ｏに対し左右及び前後で対称となる４箇所に取付用のネジ穴１００ａ，１００ｂを設ける。第１筐体１２−１と第２筐体１２−２は連結した状態で固定用の長穴８８ａ，８８ｂを架台１１のネジ穴１００ａ，１００ｂに位置合せし、架台１１上にボルトにより固定する。【選択図】図６
2011041636.tif 000002
【特許請求の範囲】
【請求項１】
トンネル壁面などの設置場所に配置された架台上に、分割された装置ユニットを載置して固定する防災装置設置構造に於いて、
前記各装置ユニットの側面同士を連結する連結部材と、
前記架台の中心に対し左右及び前後で対称となる複数箇所に設けられた取付穴と、
前記各装置ユニットの底部に前記架台の取付穴に相対して設けられた固定用長穴と、
前記各装置ユニットの固定用長穴と前記架台の取付穴により前記架台上に連結された各装置ユニットを固定するボルト部材と、
を備えたことを特徴とする防災装置設置構造。
【請求項２】
請求項１記載の防災装置設置構造に於いて、前記架台上に左右に並べて各装置ユニットを載置し、前記架台における右隅側と左隅側の中心を通る対角位置の４箇所に前記取付穴を設け、前記架台の取付穴に相対して前記各装置ユニットの底部に固定用長穴を設けたことを特徴とする防災装置設置構造。
【請求項３】
請求項１記載の防災装置設置構造に於いて、防災装置はノズル付きホースを引き出して放水する消火栓装置であり、
前記消火栓装置は、
ホース収納空間及びバルブ類収納空間に対応した化粧板の扉開口部に消火栓扉を開閉自在に設けた第１筐体と、
消火器収納空間に対応した化粧板の扉開口部に消火器扉を開閉自在に設けると共に前記第１筐体の側面に連結固定される第２筐体と、
前記架台の中心に対し左右及び前後で対称となる複数箇所に設けられた取付穴と、
前記第１筐体の底部２箇所に前記架台の取付穴に相対して設けられた固定用長穴と、
前記第２筐体の底部２箇所に前記架台の取付穴に相対して設けられた固定用長穴と、
前記第１筐体と第２筐体の固定用長穴と前記架台の取付穴により前記第１筐体と第２筐体を固定するボルト部材と、
を備えたことを特徴とする防災装置設置構造。
【請求項４】
請求項３記載の防災装置設置構造に於いて、前記消火栓装置は、前記架台上に前方から見て右から左に第１筐体と第２筐体を並べて載置し、前記架台における右隅側と左隅側の中心を通る対角位置の４箇所に前記取付穴を設け、前記架台の取付穴に相対して前記各装置ユニットの底部に固定用長穴を設けたことを特徴とする防災装置設置構造。
【発明の詳細な説明】
【技術分野】
【０００１】
本発明は、放水ノズル付きホースを引き出して放水する消火栓装置などの防災装置をトンネルなどの設置場所に配置した架台に載置して固定する防災装置設置構造に関する。
【背景技術】
【０００２】
従来、自動車専用道路などのトンネル内には、火災発生時に備えて消火栓装置が設置されている。
【０００３】
図９は従来の消火栓装置２００の消火栓扉を外した状態の正面図であり、図１０は消火栓装置２００の消火栓扉２０４を開いた状態の内部構造の平面図であり、図１１はその側面図である。
【０００４】
架台２０１上に設置された消火栓装置２００の筐体２０２の前面には消火栓扉２０４と消火器扉２０６が設けられている。消火栓扉２０４にはハンドルが設けられ、ハンドルを手前に引くことでロックを解除し、消火栓扉２０４の下側を回転軸に前方に開放することができる。
【０００５】
筐体２０２のホース収納部にはＵ字型に形成したフレームパイプ２２０が開口側に配置されている。フレームパイプ２２０の両側にはホースバケット２１６が取り付けられ、内部にホース収納空間を形成し、先端にノズル２１０を装着したホース２１２を筐体内のホースバケット２１６に内巻きして収納している。
【０００６】
ホース２１２はホースバケット２１６の側面板に開口した孔を通してホースバケット２１６内に収納される。
【０００７】
このような消火栓装置２００は火災を伴う車両事故の発生時に、消火栓扉２０４を開いてノズル２１０付きのホース２１２を引き出し、扉内に設けている消火栓弁開閉レバー２１４を操作することで消火ポンプ設備を起動して放水を行うことができる。
【先行技術文献】
【特許文献】
【０００８】
【特許文献１】特開２００５−３１８９７２号公報
【発明の概要】
【発明が解決しようとする課題】
【０００９】
しかしながら、このようなトンネル消火栓装置にあっては、筐体２０２にバルブ類、ノズル付きホース、消火器などの全ての機器を組込み配置し、更に、開閉自在な消火栓扉や消火器扉を設けていたため、装置全体として横幅が約１．８メートル、高さが約１メートル、奥行きが数十センチメートル、重量も約数百キログラムといった大型のユニットとなり、組立を行った工場内での移動は勿論のこと、トンネル工事現場に搬送して架台上に設置する際にも、重量物として扱わなければならないことから大変であり、組立及び設置に手間と時間がかかるという問題がある。
【００１０】
また消火栓装置をトンネル内に設置して長期間使用している間に、筐体、消火栓扉、消火器扉、筐体内蔵したバルブ類などが腐食などにより損傷した場合、消火栓装置全体を架台から外して撤去し、新しい消火栓装置に交換する必要がある。しかし、トンネルに消火栓装置を設置する際に、筐体底部の右側、中央、底部などの例えば６箇所もしくは８箇所でアンカーボルトにより架台に固定しているため、アンカーボルトを外して架台から筐体を撤去する作業が大変であり、手間と時間がかかる問題がある。
【００１１】
また従来の消火栓装置に使用する架台２０１は、図１２に平面で示すように、ステンレスなどのアングル材の溶接で製造されており、消火栓装置の前方に荷重が加わることから、固定用のボルト穴２３０を後方にオフセットして形成している。このボルト穴２３０による固定位置は図１１の中心線Ａ，Ｂで示す位置となる。
【００１２】
消火栓装置の前方に荷重が加わるのは、図１０に示すように、消火栓扉２０４の内側にホース２１２の先端のノズル２１０や消火栓弁開閉レバー２１０を配置し、更にメンテナンス時などに開放した消火栓扉２０４に人が乗っても大丈夫なように堅牢に消火栓扉２０４を作っており、消火栓扉１８が重いため、消火栓扉２０４を開くと前方に荷重がかかり、これを支えるため架台２０１の後方にオフセットしたボルト穴２３０で筐体を固定している。
【００１３】
このような固定用ボルト穴２３０のオフセットに伴い、１本のアングル材による枠構造では固定用ボルト穴の配置ができないため、後方に２本アングル材２２４，２２６を溶接で固定し、前後に渡したアングル材２２８と後方のアングル材２２４，２２６の合せ部分の２箇所に固定用ボルト穴２３０を加工しており、架台２０１の加工製造に手間かかかり、コストも高くなるという問題もある。
【００１４】
本発明は、架台の製造を簡単にして設置作業及び撤去作業を安全に効率良くできるようにする消火栓装置などの防災装置設置構造を提供することを目的とする。
【課題を解決するための手段】
【００１５】
本発明は、トンネル壁面などの設置場所に配置された架台上に、複数に分割された装置ユニットを載置して固定する防災装置設置構造に於いて、
各装置ユニットの側面同士を連結する連結部材と、
架台の中心に対し左右及び前後で対称となる複数箇所に設けられた取付穴と、
各装置ユニットの底部に前記架台の取付穴に相対して設けられた固定用長穴と、
各装置ユニットの固定用長穴と前記架台の取付穴により前記架台上に連結された各装置ユニットを固定するボルト部材と、
を備えたことを特徴とする。
【００１６】
ここで、架台上に左右に並べて各装置ユニットを載置し、架台における右隅側と左隅側の中心を通る対角位置の４箇所に取付穴を設け、架台の取付穴に相対して各装置ユニットの底部に固定用長穴を設ける。
【００１７】
防災装置はノズル付きホースを引き出して放水する消火栓装置であり、
消火栓装置は、
ホース収納空間及びバルブ類収納空間に対応した化粧板の扉開口部に消火栓扉を開閉自在に設けた第１筐体と、
消火器収納空間に対応した化粧板の扉開口部に消火器扉を開閉自在に設けると共に第１筐体の側面に連結固定される第２筐体と、
架台の中心に対し左右及び前後で対称となる複数箇所に設けられた取付穴と、
第１筐体の底部２箇所に架台の取付穴に相対して設けられた固定用長穴と、
第２筐体の底部２箇所に架台の取付穴に相対して設けられた固定用長穴と、
第１筐体と第２筐体の固定用長穴と架台の取付穴により第１筐体と第２筐体を固定するボルト部材と、
を備える。
【００１８】
記消火栓装置は、架台上に前方から見て右から左に第１筐体と第２筐体を並べて載置し、架台における右隅側と左隅側の中心を通る対角位置の４箇所に前記取付穴を設け、架台の取付穴に相対して各装置ユニットの底部に固定用長穴を設ける。
【発明の効果】
【００１９】
本発明によれば、例えば消火栓装置を例にとると、装置筐体を第１筐体と第２筐体に分割した場合、通常であれば２分割による固定箇所は各筐体で４箇所、全体では８箇所となるが、本発明の防災装置設置構造では、各筐体側面を連結し、連結した第１筐体と第２筐体を載置する架台について、その中心に対し左右及び前後に対象となる４箇所に取付穴を設け、第１筐体と第２筐体に架台の取付穴に相対する２箇所の固定用穴を設けてボルト固定しているため、固定箇所が４箇所で済み、加工工数とコストの低減ができる。
【００２０】
またノズルや消火栓弁レバーを筐体側に設置することで消火栓扉が軽量化されたことで、前方に加わる荷重が低減し、架台に対し筐体を後方にオフセットして取付固定する必要がなくなり、これによって架台の中心に対し左右及び前後の対称位置に取付穴を配置することができ、１本のアングル部材を矩形に溶接固定することで簡単に架台を製造でき、架台の加工が容易であり、第１筐体と第２筐体に分割した消火栓装置のトンネル設置場所の架台に対する取付け作業と、装置を交換する際の架台に対する取外し作業が簡単且つ容易にできる。
【００２１】
特に、トンネル内に設置して長期間使用している間に腐食などにより損傷した場合、損傷した部分に対応した第１筐体または第２筐体のいずれか一方を撤去して交換すればよく、この場合、第１筐体又は第２筐体の取外しは２箇所の対称位置に設けたボルトを外すだけで、簡単に架台から撤去でき、交換した新品の筐体についても同じく２箇所のボルト締めで簡単に架台に固定することができる。
【００２２】
また第１筐体と第２筐体の架台に対する固定は各々２箇所となっているが、第１筐体と第２筐体は左右の連結部分でボルトなどにより固定されて架台上に載置されているため、実質的には一体化された筐体を４箇所が架台に対し左右前後で対称となる位置で固定していることに相当し、架台に対し装置全体として充分な固定強度を確保することができる。
【００２３】
更に、消火栓装置の一部が損傷していたとしても、第１筐体と第２筐体に分けて損傷部分を交換することができ、消火栓装置全体を取り外して交換する場合に比べ、資源の浪費を大幅に節減できる。
【図面の簡単な説明】
【００２４】
【図１】本発明による消火栓装置の実施形態を正面から示した説明図
【図２】図１について扉側を外して本体内部構造を示した正面図
【図３】図１について内部構造を示した平面図
【図４】図１の分割筐体構造を示した説明図
【図５】図１の架台を取り出して示した平面図
【図６】分割した筐体の架台に対する固定関係を示した平面図
【図７】本実施形態における筐体アングル材と架台アングル材の連結構造を示した組立分解図
【図８】本実施形態における設置箇所の床面に対する架台と筐体の設置構造を示した説明図本発明による設置構造の他の実施形態を示した正面図
【図９】従来の消火栓装置の扉を外して内部構造を示した正面図
【図１０】従来の消火栓装置の扉を開放して内部構造を示した平面図
【図１１】従来の消火栓装置の扉を開放して内部構造を示した側面図
【図１２】従来の消火栓装置の設置に使用する筐体を示した平面図
【発明を実施するための形態】
【００２５】
図１は本発明のトンネルに設置される消火栓装置を例にとって本発明の防災装置設置構造の実施形態を示した正面図である。図１において、消火栓装置１０は、消火栓側の第１筐体１２−１と消火器側の第２筐体１２−２に分割した構造であり、前面に分割した化粧板１４−１、１４−２を各々装着しており、第１筐体１２−１と第２筐体１２−２に対し必要な機器及び部材を組付けた後に連結固定部１５で固定し、更に前面開口部に化粧板１４−１、１４−２を取り付けた状態とし、この状態でトンネル現場に搬入して架台１１上に設置している。
【００２６】
化粧板１４−１には扉開口部１６が設けられ、化粧板１４−２には扉開口部１７が設けられている。第１筐体１２−１側の扉開口部１６は上下に２分割され、下側扉開口部に消火栓扉１８を配置し、上側扉開口部に保守扉２２を配置しており、その内部がホース収納空間及びバルブ類収納空間となっている。
【００２７】
消火栓扉１８は、扉開口部１６に対し下側の軸となるヒンジ２１を中心に下向きに開閉自在に設けられており、マグネットと受け板を用いた下扉ロック機構５６により閉止位置に閉じている。消火栓扉１８は、ハンドル２０を手前に引いて下扉ロック機構５６の磁気吸着によるロックを外すことで前方に開閉することができる。ハンドル２０は着脱が容易にできる本発明によるハンドル取付構造を備えている。
【００２８】
上向きに開閉する保守扉２２は、マグネットと受け板を用いた上扉ロック機構５４により閉止位置に閉じられており、点検時に消火栓扉１８を開いて内側のロックを外すことで開くことができる。また、筐体１２−１の上部両側には装置を吊り下げるための吊り輪２５が取り付けられている。
【００２９】
筐体１２−２側の扉開口部１７の右側には通報装置扉２４が設けられ、ここに赤色表示灯２６、発信機２８及び応答ランプ３０を設けている。
【００３０】
赤色表示灯２６は常時点灯し、消火栓装置１０の設置場所が遠方から分かるようにしている。火災時には、発信機２８を押して押し釦スイッチをオンすると、発信信号が監視室の火災受信機に送信されて火災警報が出され、これに伴い応答信号が火災受信機から送られて、応答ランプ３０を点灯するようにしている。
【００３１】
扉開口部１７の左側には消火器扉３２が設けられ、消火器扉３２に対応した筐体１２−２の内部を消火器収納空間とし、例えば２本の消火器３７を収納している。消火器扉３２にはハンドル３４が設けられ、ハンドル３４を手前に引くとラッチが外れ、消火器扉３２は左側をヒンジとして前方に開くことができる。また、消火器扉３４の下側には覗き窓３５が設けられ、外部から消火器の収納状態の有無を確認できるようにしている。
【００３２】
図２は図１について、第２筐体１２−２側の消火器扉３２を開き、第１筐体１２−１側については消火栓扉１８を外し、保守扉２２は上向きに開いてステー２７で支持した状態で内部構造を示した正面図である。なお、保守扉２２は、消火栓装置の保守以外には通常閉じられており、消火作業時も閉められたままで消火栓扉１８のみ開放される。
【００３３】
図２において、第１筐体１２−１の左側にはホース収納空間３６が形成され、右側にバルブ類収納空間３８を形成している。ホース収納空間３６には、ホースバケット構造が設けられる。ホースバケット構造にはフレームパイプを屈曲して水平方向で上下に配置したフレーム部分を持つバケットフレーム４０が配置され、内部にホース収納空間を形成している。
【００３４】
バケットフレーム４０の中央から右側にオフセットした位置、即ち扉開口部１６の左右方向における略中央となる位置に、Ｕ字形パイプフレームを固定することで縦方向に２本のホースガイド４２が位置してホース取出口４５を仕切り形成している。更に、ホース取出口４５の下側には、前方に張出し形成された張出ホースガイド４７を設けている。
【００３５】
ホース取出口４５を仕切り形成するホースガイド４２及び張出ホースガイド４７は、ホース４４を引き出す際に内巻きしているホース４４が崩れたり、扉開口部１６に擦れてホース４４が損傷したり折れたりすることを防ぎ、更に開放している消火栓扉１８の右端又は左端にホース４４が引っかかって引き出せなくなることを防ぐ。
【００３６】
バケットフレーム４０及び筐体内壁で囲まれたホース収納空間３６にはホース４４が内巻きして収納されている。ここで、右側のバルブ類収納空間３８の下部にはホース接続口４６が配置されており、ホース接続口４６にホース４４の１次側を接続した後、ホース４４をホース収納空間３６に巻き込むことになるが、この場合のホース４４の巻き込みは、扉開口部１６から見て右巻きとなるようにホース４４を巻き込んでいる。
【００３７】
即ち、ホース接続口４６に接続したホース４４は、まず第１筐体１２−１の下側内壁に沿うようにホース収納部３６方向に向かい、ホース収納空間３６の下側から巻き込まれ、筐体左側面内面を伝って筐体上方に向かい、その後に、右回りに収納空間内に巻き込まれ、最後にノズル４８を装着したホース先端をバケットフレーム４０の中央から右側にオフセットして扉開口部１６の中央付近に取り付けられたホースガイド４２で形成されたホース取出口４５から取り出し、上側のバケットフレーム４０の右端に固定しているノズルホルダー５０にノズル４８を左横向きに着脱自在に保持している。
【００３８】
ノズル４８は放水部４８ａとハンドル４８ｂから構成されており、ノズルホルダー５０に対し放水部４８ａの横向きに保持した状態で、ハンドル４８ｂは放水部４８ａの下側に位置して消火栓扉１８の開放による下側扉開口部の中央方向に向くように保持されている。
【００３９】
筐体１２−１に設けたホース収納空間３６の右側に配置したバルブ類収納空間３８には、ポンプ設備からの配管が接続される消火栓接続口からホース接続口４６に至る配管系統に、給水弁５１、消火栓弁、自動調圧弁、自動排水弁及びメンテナンス装置を設けている。
【００４０】
このうち消火栓弁に設けた消火栓弁開閉レバー６４に対応してバルブ類を隠す板部材としての案内板７２が設けられており、案内板７２の裏側に消火栓弁、自動調圧弁、自動排水弁が配置され消火作業に操作しない部材を隠している。
【００４１】
このように消火栓扉１８には従来のように、ノズルや消火栓弁開閉レバーが設けられていないことから軽量化されている。
【００４２】
第２筐体１２−２側については、ヒンジ３３により消火器扉３２を左側に開いた内部の消火器収納空間３９に２本の消火器３７が収納されている。消火器３７は消火器扉３２を閉じた状態で覗き窓３５を通して２本の消火器３７の状態が視認できるように収納されている。
【００４３】
図３は、図１について内部構造を示した平面図である。図３において、第１筐体１２−１と第２筐体１２−２は連結部１５においてボルトにより固定されている。第１筐体１２−１のホース収納空間３６には平面から見て横Ｌ字形にバケットフレーム４０が配置され、筐体内壁との間に形成したホース収納空間３６にホース４４を右巻きにより内巻き状態で収納している。
【００４４】
バケットフレーム４０における前面右端にはノズルホルダー５０が取り付けられ、ノズルを横向きに着脱自在に保持できるようにしている。第２筐体１２−２側の消火器収納空間３９には２本の消火器３７を収納している。
【００４５】
図４は本実施形態における分割した筐体の連結構造を示した説明図である。図４において、第１筐体１２−１の連結面７２−１の４箇所にはネジ穴７４が設けられ、これに相対した第２筐体１２−２の連結面７２−２の４箇所には通し穴７６が形成され、通し穴７６を貫通してボルト７８をネジ穴７４にねじ込むことで、第１筐体１２−１と第２筐体１２−２を連結固定する。
【００４６】
ここで、第２筐体１２−２は連結面７２−２は奥行き方向にフラットな面に形成されているが、第１筐体１２−１の連結面７２−１は前方開口コーナー部が連結面７２−１から遠ざかる方向となるように矩形に窪ませた矩形窪み部８０を形成している。
【００４７】
第１筐体１２−１の前面開口部の周縁にはフランジ部８２−１が張出し形成され、また第２筐体１２−２の前面開口部の周縁にもフランジ部８２−２が張出し形成され、フランジ部８２−１，８２−２の各々に、ゴムパッキンなどのシール部材８４−１，８４−２を介して図１に示した第１化粧板１４−１と第２化粧板１４−２の各々が取り付け固定されている。
【００４８】
第１筐体１２−１に矩形窪み部８０形成し、そしてフランジ部８２−１の左端を連結面７２−１に対し右側に位置することで、第１筐体１２−１と第２筐体１２−２を横に並べた状態で連結面７２−１，７２−２で固定しても、両者のフランジ部７６−１，７６−２は矩形窪み部８０の前方に干渉することなく配置することができる。
【００４９】
また第１筐体１２−１と第２筐体１２−２の前面開口部の内側の４箇所には、図１に示した第１化粧板１４−１と第２化粧板１４−２を取り付け固定するためのボルト８６が頭部を外に向けてそれぞれ配置されている。
【００５０】
本発明による防災装置設置構造の実施形態として図４の第１筐体１２−１の底面の中央よりやや右側の位置には筐体アングル材８８ａが固定され、筐体アングル材８８ａの前後の２箇所に固定用の長穴９０ａを設けている。また第２筐体１２−２の底面の略中央には筐体アングル材８８ｂが固定され、筐体アングル材８８ｂの前後の２箇所に同じく固定用の長穴９０ｂを設けている。
【００５１】
図５は図１の架台を取り出して平面で示している。図５において、架台１１は前後２本、左右２本のステンレス製アングル材を切り出し、矩形に溶接することで作られており、左右の中心線９４と前後の中心線９６の交点となる中心Ｏに対し左右対称となる位置に２本の架台アングル材９８ａ，９８ｂを前後に渡して溶接固定し、２本の架台アングル材９８ａ，９８ｂには、中心Ｏに対し左右及び前後に対称な位置となるように取付穴としてのネジ穴１００ａ，１００ｂを２箇所ずつ形成している。
【００５２】
ここでネジ穴１００ｂは、中心Ｏに対し連結部１５を越える左側の対称位置に配置しており、これに併せてネジ穴１００ａも同じく右側の対称位置に配置する。これによって右側のネジ穴１００ａは第１筐体１２−１の底面に相対し、左側のネジ穴１００ｂは第２筐体１２−２の底面に相対することになる。
【００５３】
更に、架台１１における架台アングル材９８ａ，９８ｂの外側には、架台１１をトンネル壁面収納部の床面に設置した埋込ボルトに固定するための２本のアングル材１０２ａ，１０２ｂが固定され、アングル材１０２ａ，１０２ｂは前後方向にボルト挿入スリット１０３ａ，１０３ｂを開口している。
【００５４】
図６は図４の分割筐体構造の底面側と図５の架台を並べて示している。第１筐体１２−１と第２筐体１２−２の底部開口には筐体アングル材８８ａ，８８ｂが固定され、前後の２箇所に固定用の長穴９０ａ，９０ｂを設けている。
【００５５】
架台１１は、第１筐体１２−１と第２筐体１２−２の筐体アングル材８８ａ，８８ｂに相対する位置に架台アングル材９８ａ，９８ｂを配置しており、架台アングル材９８ａ，９８ｂには前後の２箇所に長穴９０ａ，９０ｂに相対するネジ穴１００ａ，１００ｂを設けている。このように第１筐体１２−１と第２筐体１２−２を連結した際に、筐体全体としての中央位置となる架台１１の中央点Ｏ点に対応する位置を基準として、筐体の長穴８８ａ、８８ｂが左右及び前後対称としている。
【００５６】
図７は図６の実施形態における第１筐体と架台の連結構造を示した組立分解図である。図７において、架台アングル材９８ａの通し穴の裏面にはナット１０１が溶接などにより固定されることによりネジ穴１００ａを形成している。筐体アングル材８８ａには長穴９０ａが形成され、架台に対し筐体側を前後方向で位置合せした際に、ネジ穴１００ａとの間に位置ずれや寸法誤差があっても、長穴９０ａとしたことで容易に位置合せができ、長穴９０ａを介してワッシャ９５を通したボルト１０５をネジ穴１００ａに捩じ込み、連結した筐体を架台１１に固定する。
【００５７】
一般的に、分割した第１筐体１２−１と第２筐体１２−２の架台１１に対する固定は、それぞれ底部４隅に通し穴とネジ穴を設けてボルト固定しており、２つに分割した筐体では合計８箇所で固定するようになる。しかし、本発明にあっては、各筐体を２箇所で架台に固定しており、合計４箇所の固定となり、一般的な固定方法に比べ固定箇所を半分に減らすことができる。
【００５８】
このように２つに分割した筐体の固定を各筐体毎に２箇所、合計で４箇所とした場合、一般的な固定構造における８箇所の固定に比べ固定強度が低下する可能性が残る。しかしながら、本実施形態にあっては、第１筐体１２−１と第２筐体１２−２を左右の側面を合わせて連結固定した状態で架台１１に載置して固定しているため、左右の連結固定によって１つの筐体構造と実質的に同じとなり、その結果、４箇所の固定であっても架台に対し充分な取付け強度を確保することができる。
【００５９】
即ち、分割した筐体を個別に架台に固定する場合、それぞれ２箇所の固定では安定性を欠くし、固定強度も低いが、分割した筐体を左右方向で連結した後にそれぞれ２箇所で架台に固定することで、個別に固定した場合に比べ充分な固定強度が確保できる。
【００６０】
また第１筐体１２−１又は第２筐体１２−２を交換する場合にあっても、他方の筐体を外すことなく、筐体連結面のボルトと、外す筐体底部のボルトを外せば良いことから、装置を軽量化させたことによる架台１１からの撤去作業と、その後の設置作業を容易に行うことができる。
【００６１】
図８はトンネル内の設置場所の床面に対する架台の設置構造を第１筐体側について取り出して示している。トンネル壁面などに形成した消火栓装置を設置する場所の床面１０６にはコンクリート打ちの際に埋込ボルト１０８が埋め込まれている。
【００６２】
架台１１はアングル材１０２ａを使用して埋込ボルト１０８に固定する。２本の取付アングル１０２ａは図５に示したように、前後方向にボルト挿入スリット１０３ａを形成して配置しており、架台１１の取付アングル１０２ａのボルト挿入スリット１０３ａを嵌め入れ、その上にワッシャを介してナット１１４をねじ込んで締め付け固定する。
【００６３】
また架台１１に対する第１筐体１２−１の取付固定は、架台アングル材９８ａのネジ穴に筐体アングル材８８ａの長穴を相対させ、上からボルト１０５を通してナットを用いたネジ穴１００ａにねじ込み固定する。
【００６４】
なお、上記の実施形態はトンネルに設置される消火栓装置を例にとるものであったが、架台上に載置されて固定される複数の装置ユニットに分割された防災装置であれば、適宜の装置に本発明をそのまま適用することができる。
【００６５】
また、装置ユニットと架台の取付けは、筐体アングル材の長穴と架台アングル材のナット溶接によるネジ穴にボルトによって取付ける構成であるが、これに限らず、互いに取付け位置を調整可能に固定できる構成であれば良い。
【００６６】
また本発明は、その目的と利点を損なうことのない適宜の変形を含み、更に上記の実施形態に示した数値による限定は受けない。
【符号の説明】
【００６７】
１０：消火栓装置
１１：架台
１２−１：第１筐体
１２−２：第２筐体
１４−１，１４−２：化粧板
７２−１，７２−２：連結面
８８ａ，８８ｂ：筐体アングル材
９０ａ，９０ｂ：長穴
９８ａ，９８ａ：架台アングル材
１００ａ，１００ｂ：ネジ穴
１０１：ナット
１０５：ボルト
【図１】
2011041636.tif 000003
【図２】
2011041636.tif 000004
【図３】
2011041636.tif 000005
【図４】
2011041636.tif 000006
【図５】
2011041636.tif 000007
【図６】
2011041636.tif 000008
【図７】
2011041636.tif 000009
【図８】
2011041636.tif 000010
【図９】
2011041636.tif 000011
【図１０】
2011041636.tif 000012
【図１１】
2011041636.tif 000013
【図１２】
2011041636.tif 000014